(57)【要約】【課題】内容物充填後の搬送中にスリットで破れることがなく、開封した際、両面の開口端に差ができるので、開口端を簡単に広げることができ、内容物を簡単に取り出すことができる開封容易包装袋を提供する。【解決手段】包装袋の一面に一側端から他側端まで横方向に延びるスリット６を設け、包装袋の他面に一面に設けたスリット６より開口端側に位置をずらせて一側端から他側端まで横方向に延びるスリット７を設け、少なくとも一方の側端ヒートシール部３に先端部８ａが一面に設けたスリット６より内側に位置する開封ノッチ８を設ける。【選択図】  図１
2005029196.tif 000002
【特許請求の範囲】
【請求項１】
２枚のラミネートフイルム包材を重ね合わせ、両側端および上下端をヒートシールした包装袋において、包装袋の一面に一側端から他側端まで横方向に延びるスリットを設け、包装袋の他面に一面に設けたスリットより開口端側に位置をずらせて一側端から他側端まで横方向に延びるスリットを設け、少なくとも一方の側端ヒートシール部に先端部が一面に設けたスリットより内側に位置する開封ノッチを設けたことを特徴とする開封容易包装袋。
【請求項２】
ラミネートフイルム包材は、３層ラミネートフイルムであり、中間フイルムにスリットを設けたことを特徴とする請求項１に記載の開封容易包装袋。
【請求項３】
ラミネートフイルム包材は、２層ラミネートフイルムであり、表面フイルムにスリットを設けたことを特徴とする請求項１に記載の開封容易包装袋。
【請求項４】
一面に設けたスリットと他面に設けたスリットの間隔は、０．２ｍｍ〜２．０ｍｍであることを特徴とする請求項１に記載の開封容易包装袋。
【請求項５】
側端ヒートシール部に設けた開封ノッチは、先端部を一面に設けたスリットより内側に０ｍｍ〜２．０ｍｍ離れて位置させたことを特徴とする請求項１ないし請求項４のいずれか１項に記載の開封容易包装袋。
【請求項６】
１枚のラミネートフイルム包材を２つ折りし、一側端および上下開口端をヒートシールした包装袋において、包装袋の一面に一側端から他側端まで横方向に延びるスリットを設け、包装袋の他面に一面に設けたスリットより開口端側に位置をずらせて一側端から他側端まで横方向に延びるスリットを設け、側端ヒートシール部に先端部が一面に設けたスリットより内側に位置するノッチを設けたことを特徴とする開封容易包装袋。
【発明の詳細な説明】
【０００１】
【発明の属する技術分野】
本発明は、内容物充填後の搬送中にスリットで破れることがなく、開封した際に内容物を容易に取り出すことができる開封容易包装袋に関する。
【０００２】
【従来の技術】
この種の開封容易包装袋として、２枚のスリットを設けたラミネートフイルム包材をスリットが一致するように重ね合わせ、両側端および上下端の４方をヒートシールし、側端ヒートシール部に各面に設けたスリットに隣接して開封ノッチを設け、開封ノッチを開封始点としてスリットに沿って容易に開封できる開封容易包装袋は知られている（例えば、特許文献１）。
【０００３】
上記開封容易包装袋は、、液体や粉体の内容物を充填する場合、下端を残して両側端および上端の３方をヒートシールした状態に成形され、開口端を上にして充填機の直下位置に送られ、充填機のノズルから導かれる内容物を内部空間に充填した後、開口端をヒートシールされ、搬送手段により充填ラインに沿って搬送され、段ボール箱等に収納される。
【０００４】
【特許文献１】
特許第２９５０９３１号（第２頁第４欄，第３図参照）
【０００５】
【発明が解決しようとする課題】
上記開封容易包装袋は、両面に設けたスリットが一致した位置にあるので、内容物充填後に充填ラインに沿って移送される際に、整列状態が乱れたり、付設した案内部材等に当たったりすると、スリットの一部が破れて不良品を作ってしまうという問題がある。
【０００６】
また、上記開封容易包装袋は、スリットに沿って開封した時、開口端が一致するので、開口端を把持して広げる作業を簡単に行うことができず、簡単に内容物を取り出すことができないという問題がある。
【０００７】
本発明は、上記した点を考慮してなされたもので、内容物充填後の搬送中にスリットで破れることがなく、開封した際に簡単に開口部を広げることができ、内容物を容易に取り出すことができる開封容易包装袋を提供することを目的とする。
【０００８】
【課題を解決するための手段】
本発明の開封容易包装袋は、包装袋の一面に一側端から他側端まで横方向に延びるスリットを設け、包装袋の他面に一面に設けたスリットより開口端側に位置をずらせて一側端から他側端まで横方向に延びるスリットを設け、少なくとも一方の側端ヒートシール部に先端部が一面に設けたスリットより内側に位置する開封ノッチを設けたことで、両面に設けたスリットが同一線上にないので、内容物充填後の搬送中にスリットで破れることがなく、スリットに沿って開封した時、両面の開口端に差ができるので、開口端を簡単に広げることができ、内容物を簡単に取り出すことができる。
【０００９】
【発明の実施の形態】
以下、図面を参照して本発明の実施の形態について説明する。
図１は本発明による開封容易包装袋を２枚のラミネートフイルム包材により成形した側面図である。
【００１０】
上記開封容易包装袋１は、２枚の矩形状ラミネートフイルム包材２，２を重ね合わせ、両側端を側端ヒートシール部３，３で封止し、上下端を上端ヒートシール部４と下端ヒートシール部５で封止した平袋タイプの包装袋である。
【００１１】
上記開封容易包装袋１は、一面の上端ヒートシール部４に近い部位に上端縁に平行に一側端から他側端まで横方向に延びるスリット６と、他面の一面に設けたスリット６より開口端側に位置をずらせてスリット６と平行に一側端から他側端まで横方向に延びるスリット７と、各側端ヒートシール部３に先端部８ａが一面に設けたスリット６より内側に位置するように配置された開封ノッチ８とを有する。
【００１２】
上記開封容易包装袋１では、両方向から開封できるように、各側端ヒートシール部３に開封ノッチ８を設けているが、一方向からのみ開封できるように、一方の側端ヒートシール部３にのみ開封ノッチ８を設けることもできる。
【００１３】
上記開封容易包装袋１の各面に設けたスリット６，７は、長さ１００ｍｍ〜２００ｍｍの切断部と長さ０．１ｍｍ〜０．５ｍｍの未切断部を連設した直線状スリットである。また、開封容易包装袋１の一面に設けたスリット６と他面に設けたスリット７の上下方向の間隔は、０．２ｍｍ〜２．０ｍｍであることが好ましい。
【００１４】
上記開封容易包装袋１の側端ヒートシール部３に設けた開封ノッチ８は、Ｖ形であり、先端部８ａが一面に設けたスリット６と同一線上の位置とスリット６より内側に２．０ｍｍ離れた位置との間にあることが好ましい。開封ノッチ８は、Ｖ形ではなくＩ形であってもよい。
【００１５】
ラミネートフイルム包材２は、厚さ１２〜２５ミクロンのポリエステルフィルムと厚さ１５〜２５ミクロンのナイロンフィルムと厚さ２０〜８０ミクロンの無延伸ポリプロピレンフィルムの３層ラミネートフイルムの場合、スリット６，７は、中間に位置するナイロンフィルムに形成される。
【００１６】
ラミネートフイルム包材２は、厚さ１２〜２５ミクロンのポリエステルフィルムと厚さ２０〜８０ミクロンの無延伸ポリプロピレンフィルムの２層ラミネートフイルムの場合、スリット６，７は、表面側に位置するポリエステルフィルムに形成され、厚さ１５〜２５ミクロンのナイロンフィルムと厚さ２０〜８０ミクロンの無延伸ポリプロピレンフィルムの２層ラミネートフイルムの場合、スリット６，７は、表面側に位置するナイロンフィルムに形成される。
【００１７】
つぎに、開封容易包装袋１の成形方法を、液体飲料や粉体等の内容物を充填する場合を例にして説明する。
【００１８】
まず、スリット６を設けた矩形状ラミネートフイルム包材２とスリット７を設けた矩形状ラミネートフイルム包材２を、スリット６とスリット７が０．２ｍｍ〜２．０ｍｍ間隔を置くようにして重ね合わせる。
【００１９】
つぎに、２枚の重ね合わせたラミネートフイルム包材２を、下端を残してスリット６，７を設けた上端と両側端の３方をヒートシール手段によりヒートシールし、これに続いて、各側端ヒートシール部３に先端部８ａが一面に設けたスリット６より内側に位置するように開封ノッチ８を設ける。
【００２０】
つぎに、３方をヒートシールしたラミネートフイルム包材２を、開口端を上にして充填ラインに沿って図示しない充填機の直下位置に移送し、充填機のノズルから内容物を開口端を通して内部空間に充填する。
【００２１】
つぎに、内容物を充填したラミネートフイルム包材２の開口端をヒートシール手段によりヒートシールして内容物を密封した開封容易包装袋１を形成する。内容物を充填した開封容易包装袋は、その後、充填ラインに沿って収容手段に移送され、段ボール箱に収納される。
【００２２】
本発明の開封容易包装袋１は、両面に設けたスリットが同一線上にないので、内容物充填後に移送する際にスリットが破れることがなく、また、開封ノッチ８を開封始点としてスリットに沿って開封した時、両面の開口端に差ができるので、開口端部を簡単に広げることができ、内容物を簡単に取り出すことができる。
【００２３】
なお、上記実施の形態では、包装袋を２枚のラミネートフイルム包材を重ねあわせてヒートシール加工することで形成したが、１枚のラミネートフイルム包材を２つ折りしててヒートシール加工することで形成することもできる。
【００２４】
【発明の効果】
本発明による開封容易包装袋は、両面に設けたスリットがずれた位置にあるので、内容物充填後の搬送中にスリットから破れることがなく、また、開封ノッチを開封始点としてスリットに沿って開封した時、両面の開口端に差ができるので、開口端を簡単に把持して広げることができ、内容物を簡単に取り出すことができる。
【図面の簡単な説明】
【図１】本発明による開封容易包装袋の側面図である。
【符号の説明】
１  開封容易包装袋
２  ラミネートフイルム包材
３  側端ヒートシール部
６  スリット
７  スリット
８  開封ノッチ
【図１】
2005029196.tif 000003